(57)【特許請求の範囲】
【請求項１】
流し台の水槽に、段部を挟んで高い位置にある第１底面と低い位置にある第２底面とを備え、前記第１底面と前記第２底面とに位置する状態で排水用の開口が形成され、該開口のうち、前記第１底面側に位置する半円状の第１開口を上方から閉じる半円状の第１蓋部と、前記第２底面側に位置する半円状の第２開口を上方から閉じる半円状の第２蓋部と、これら第１蓋部と第２蓋部とを連結する連結部とを備えた覆い蓋を備え、該覆い蓋に前記開口へ連通する連通口を備え、前記開口に接当して前記覆い蓋が回転することを阻止する回り止め部を該覆い蓋に備えさせ、更に、第１蓋部及び第２蓋部の底面に、下方に突出する環状の補強用のスカート部を備え、該スカート部の下端面とこれに対応する前記第１開口又は第２開口との間に隙間が形成されていることを特徴とする流し台の排水口構造。
【請求項２】
前記回り止め部が、前記第１蓋部の円弧状の外周縁の両側端のそれぞれに、径方向外側に突出するように備えさせた突起部からなり、前記開口縁に前記２つの突起部が入り込む係止部を備えていることを特徴とする請求項１記載の流し台の排水口構造。
【請求項３】
前記第１蓋部及び前記第２蓋部が板状部材からなり、該第１蓋部が該第２蓋部よりも大きな曲率半径を有する半円状に構成されたことを特徴とする請求項１又は２記載の流し台の排水口構造。
【請求項４】
前記覆い蓋を開口に装着している状態において前記第１蓋部の上面と前記第１底面とが面一になるとともに、前記第２蓋部の上面と前記第２底面とが面一になることを特徴とする請求項１〜３のいずれかに記載の流し台の排水口構造。
【請求項５】
前記第１蓋部及び前記第２蓋部が、曲率半径が異なるほぼ半円状の板状部材からなり、前記連結部が、該第２蓋部の外周縁の両側端部とこれに対応する該第１蓋部の下面のうちの直線部側部位とを上下方向で結ぶ一対の連結部材からなり、これら一対の連結部材間に前記連通口が形成されていることを特徴とする請求項１〜４のいずれかに記載の流し台の排水口構造。
【請求項６】
前記第２蓋部の第１蓋部側端に、前記上下方向に形成された連通口の下端に連通して前記開口に排水可能な水平方向に切り欠いた排水用の切欠き部を形成したことを特徴とする請求項５に記載の流し台の排水口構造。
【発明の詳細な説明】
【技術分野】
【０００１】
本発明は、台所等で配置される流し台の排水用の開口が上から見えることがないように覆いながらも、開口に連通する連通口を通して排水を行うことができる覆い蓋を開口に備えた流し台の排水口構造に関する。
【背景技術】
【０００２】
上記流し台の排水口構造としては、段部を挟んで一段高くなった第１底面と一段低くなった第２底面とを備え、前記第１底面と前記第２底面とに位置する状態で排水用の開口が形成され、該開口のうち、前記第１底面側に位置する第１開口を上方から閉じる第１蓋部と、前記第２底面側に位置する第２開口を上方から閉じる第２蓋部と、これら第１蓋部と第２蓋部とを連結する連結部とを備えた覆い蓋を備え、該覆い蓋に前記開口へ連通する連通口を備えたものが提案されている（例えば、特許文献１参照）。
【特許文献１】特開２０００−１４４８４４号公報（図１，図２参照）
【発明の開示】
【発明が解決しようとする課題】
【０００３】
ところで、排水用の開口が平面視同心円状に形成されていると、これに対応して形成される覆い蓋の第１蓋部と第２蓋部とを半円状に形成することになり、この状態では、開口に対して覆い蓋が回転して開口に対して位置ずれしてしまうことや、この位置ずれにより開口に比べて小さな開口面積となる連通口を介して開口への排水がスムーズに行えない等の不都合が発生する。そこで、上記特許文献１では、第１蓋部を半円状の両端の外形ラインを直線的に延ばした長円形にするとともに、第２蓋部に開口に上方から係止する断面形状門型の係止部を備えさせるとともに下面を開口に嵌まり込む円弧状に湾曲する湾曲部を備えさせて、覆い蓋が開口に対して回転することを阻止するようにしている。
しかしながら、前記構成の第１蓋部及び第２蓋部は、複雑な形状になるだけでなく、これに対応する開口の形状も複雑になり、その結果、製造面において不利になるだけでなく、開口と覆い蓋との水密性を高めることが難しくなる不都合もあった。
【０００４】
本発明は前述の状況に鑑み、解決しようとするところは、第１蓋部及び第２蓋部の形状を複雑にすることなく、開口に対して覆い蓋が回転することがないだけでなく、開口と覆い蓋との水密性を高めることができる流し台の排水口構造を提供するものである。
【課題を解決するための手段】
【０００５】
本発明の流し台の排水口構造は、前述の課題解決のために、流し台の水槽に、段部を挟んで高い位置にある第１底面と低い位置にある第２底面とを備え、前記第１底面と前記第２底面とに位置する状態で排水用の開口が形成され、該開口のうち、前記第１底面側に位置する半円状の第１開口を上方から閉じる半円状の第１蓋部と、前記第２底面側に位置する半円状の第２開口を上方から閉じる半円状の第２蓋部と、これら第１蓋部と第２蓋部とを連結する連結部とを備えた覆い蓋を備え、該覆い蓋に前記開口へ連通する連通口を備え、前記開口に接当して前記覆い蓋が回転することを阻止する回り止め部を該覆い蓋に備えさせ、更に、第１蓋部及び第２蓋部の底面に、下方に突出する環状の補強用のスカート部を備え、該スカート部の下端面とこれに対応する前記第１開口又は第２開口との間に隙間が形成されていることを特徴としている。
回り止め部を覆い蓋に備えさせることによって、半円状の第１蓋部と半円状の第２蓋部であっても、開口に対して覆い蓋が回転することを回り止め部が開口に接当して阻止することができる。
【０００６】
前記回り止め部が、前記第１蓋部の円弧状の外周縁の両側端のそれぞれに、径方向外側に突出するように備えさせた突起部からなり、前記開口縁に前記２つの突起部が入り込む係止部を備えていてもよい。
【０００７】
前記第１蓋部及び前記第２蓋部が板状部材からなり、該第１蓋部が該第２蓋部よりも大きな曲率半径を有する半円状に構成されていてもよい。
【０００８】
前記覆い蓋を開口に装着している状態において前記第１蓋部の上面と前記第１底面とが面一になるとともに、前記第２蓋部の上面と前記第２底面とが面一になっていてもよい。
【０００９】
前記第１蓋部及び前記第２蓋部が、曲率半径が異なるほぼ半円状の板状部材からなり、前記連結部が、該第２蓋部の外周縁の両側端部とこれに対応する該第１蓋部の下面のうちの直線部側部位とを上下方向で結ぶ一対の連結部材からなり、これら一対の連結部材間に前記連通口が形成されていてもよい。
【００１０】
前記第２蓋部の第１蓋部側端に、前記上下方向に形成された連通口の下端に連通して前記排水孔に排水可能な水平方向に切り欠いた排水用の切欠き部を形成してもよい。
【発明の効果】
【００１１】
回り止め部を覆い蓋に備えさせることによって、第１蓋部と第２蓋部を複雑な形状にしなくても、開口に対して覆い蓋が回転することを回り止め部にて確実に阻止することができ、しかも単純形状の開口と覆い蓋から構成することができるから、両者同士の水密性を高めることができる流し台の排水口構造を提供することができる。
【００１２】
前記回り止め部が、前記第１蓋部の円弧状の外周縁の両側端のそれぞれに、径方向外側に突出するように備えさせた突起部からなり、前記開口縁に前記２つの突起部が入り込む係止部を備えさせている場合には、第１蓋部の円弧状の外周縁の中間部に係止部を備える場合に比べて、目立ち難い両側端に備える方が、意匠感を高めることができるだけでなく、両側端に備えさせた係止部に合わせ易い利点もある。
【００１３】
前記第１蓋部及び前記第２蓋部が板状部材からなり、該第１蓋部が該第２蓋部よりも大きな曲率半径を有する半円状に構成されている場合には、第１蓋部と第２蓋部との区別がし易く覆い蓋を開口へ迅速に装着することができる。
【００１４】
前記覆い蓋を開口に装着している状態において前記第１蓋部の上面と前記第１底面とが面一になるとともに、前記第２蓋部の上面と前記第２底面とが面一になっている場合には、蓋部が排水の流れの抵抗になることがなく、排水をスムーズに行わせることができる。
【００１５】
前記第２蓋部の第１蓋部側端に、前記上下方向に形成された連通口の下端に連通して前記排水孔に排水可能な水平方向に切り欠いた排水用の切欠き部を形成することによって、開口面積を増大させることができ、排水量が増大した場合でも、排水をスムーズに行うことができる利点がある。
【発明を実施するための最良の形態】
【００１６】
図１に、本発明の流し台の排水口構造を備えたシステムキッチンを示している。前記システムキッチンは、ＩＨクッキングヒータ１を上部に備えたヒータキャビネット２と、蛇口Ｊ及び流し台３を上部に備えたシンクキャビネット４と、一段低くなった作業スペース用の凹部５が上部に備えた作業台用キャビネット６とを左右方向に併設しているが、これらのキャビネットに代えて、他のキャビネットを併設してもよいし、シンクキャビネット４を単独で使用することもできる。又、前記３つのキャビネット２，４，６の下方には、スライド自在な引出し７，８，９を備えているが、それらキャビネット２，４，６自体の具体的構成も、自由に変更可能である。
【００１７】
図２に示すように、前記流し台３の水槽１０に、段部１１を挟んで一段（二段以上の段部でもよい）高い位置にある前方側に位置する第１底面１２と後方側に位置し、かつ、低い位置にある第２底面１３とを備え、前記第１底面１２と前記第２底面１３とに位置する状態で排水用の開口１４が形成され、該開口１４のうち、前記第１底面１２側に位置する半円状の第１開口１４Ａを上方から閉じる半円状の第１蓋部１５と、前記第２底面１３側に位置する半円状の第２開口１４Ｂを上方から閉じる半円状の第２蓋部１６と、これら第１蓋部１５と第２蓋部１６とを連結する連結部１７（図５（ｂ）参照）とを備えた覆い蓋１８を備え、該覆い蓋１８に前記開口１４へ連通する連通口１９（図５（ｂ）参照）を備え、前記開口１４に接当して前記覆い蓋１８が回転することを阻止する回り止め部２０を該覆い蓋１８に備えている。前記第２底面１３は、水槽１０の後側に位置し、ほぼ台形状で前記第１底面１２よりも前後方向で小さい面積、つまり第１底面１２のほぼ１／３程度の面積の大きさになっているが、位置及び形状並びに大きさは自由に変更可能である。
【００１８】
図３（ａ），（ｂ）にも示すように、前記開口１４を構成する半円状の第１開口１４Ａは、半円状の第２開口１４Ｂよりも大きな曲率半径にて同心状に形成されているため、覆い蓋１８が開口１４に対して図４に２点鎖線で示すように回転することになるが、その回転を前記のように回り止め部２０にて阻止することができるようになっている。つまり、図３（ａ）及び図４の実線で示す位置に覆い蓋１８を常に位置保持することができるようになっている。又、前記第１開口１４Ａは下方側ほど内側に位置する傾斜面１４ａを備えており、この傾斜面１４ａにて第１蓋部１５の底面１５Ａのうちの外周縁（角部）１５ａを載置支持できるようになっている。又、前記第２開口１４Ｂは上下方向に沿う垂直面に形成され、第２蓋部１６の外周面１６Ａを接当支持できるようになっており、２つの蓋部１５，１６とこれに対応する開口１４Ａ，１４Ｂとの間の水密性を高めることができるようになっている。図３（ｂ）に示す１５Ｒは、第１蓋部１５及び第２蓋部１６の底面に、下方に突出するように形成された円環状（矩形状等であってもよい）の補強用のスカート部であるが、無くてもよい。前記スカート部１５Ｒの下端面１５ｒと開口１４Ａ，１４Ｂとの間に隙間Ｓを開けることによって、万一、開口１４Ａ，１４Ｂと蓋部１５，１６の外周縁との間から排水が流れ込んだ場合でも、隙間Ｓを通して排水をスムーズに行わせることができるから、開口１４Ａ，１４Ｂと蓋部１５，１６の外周縁との間から流れ込んだ排水によって開口１４Ａ，１４Ｂに対して蓋部１５，１６が上方に浮き上がるようなことがないようにしている。
【００１９】
前記第１底面１２は、第２底面１３（後方側）側ほど下方に位置する傾斜面になっており、第２底面１３側（後方側）へ排水を案内することができるようになっている。又、第２底面１３は、左右ほぼ中央に形成される後述の開口１４側へ排水が案内することができるように、左右両端からそれぞれ中央へ向かうほど下方に位置する傾斜面になっている。
【００２０】
図５（ａ），（ｂ）にも示すように、前記回り止め部２０が、前記第１蓋部１５の円弧状の外周縁の両側端のそれぞれに、径方向外側に突出するように備えさせた円弧状（三角形や矩形状などでもよい）の突起部２１からなり、前記開口１４縁に前記２つの突起部２１，２１が入り込む係止部１４Ｋ，１４Ｋを備えているが、第１蓋部１５の円弧状の外周縁の中央部等のどの位置に備えさせてもよい。第１蓋部１５の円弧状の外周縁の中間部に突起部を備えさせる場合には、突起部を１つ備えさせてもよいし、２個以上備えさせてもよい。又、第２蓋部１６に突起部を備えさせて実施することもできる。このように開口１４に覆い蓋１８を上方から被せるように載せるだけで突起部２１，２１が係止部１４Ｋ，１４Ｋに入り込んで装着することができる。しかも、開口１４に装着された覆い蓋１８を上方に持ち上げるだけで開口１４から覆い蓋１８を取り外すことができ、例えば係止手段にて覆い蓋１８を開口１４に対して着脱する構成に比べて、迅速に覆い蓋１８の着脱を行うことができる利点がある。
【００２１】
前記第１蓋部１５及び前記第２蓋部１６が板状部材からなり、該第１蓋部１５が該第２蓋部１６よりも大きな曲率半径を有する半円状に構成されていることから第１蓋部１５と第２蓋部１６との区別をし易い利点があるが、同一の曲率半径で第１蓋部１５及び第２蓋部１６を構成することもできる。
【００２２】
前記覆い蓋１８を開口１４に装着している状態において、前記第１蓋部１５の上面と前記第１底面１２とが面一になるとともに、前記第２蓋部１６の上面と前記第２底面１３とが面一になっていることが好ましい。
【００２３】
図５（ａ），（ｂ）に示すように、前記連結部１７が、該第２蓋部１６の外周縁の両側端部とこれに対応する該第１蓋部１５の下面のうちの直線部側部位とを上下方向で結ぶ板状の一対の連結部材１７Ａ，１７Ａからなり、これら一対の連結部材１７Ａ，１７Ａ間に前記連通口１９が形成されている。前記覆い蓋１８は、前記連結部１７、第１蓋部１５、第２蓋部１６を合成樹脂にて一体形成されているが、それら３つの構成部材の少なくとも１つを別体に成形して他の構成部材に一体化するようにしてもよい。そして、図３（ｂ）に示すように、合成樹脂にて一体形成された覆い蓋１８の表面にシンクの水槽を構成する材料と同一素材、例えばステンレスにて構成された薄い板材２２を取り付けて両者を一体化することによって、水槽に装着される覆い蓋１８が底面１２，１３と違和感がなく好ましいが、板材２２を省略してもよいし、場合によっては、覆い蓋１８自体をステンレスにて作製してもよい。
【００２４】
図３（ａ），（ｂ）及び図５（ａ），（ｂ）に示すように、前記第２蓋部１６の第１蓋部１５側端に、前記上下方向に形成された連通口１９の下端に連通して前記開口１４に排水可能な水平方向に切り欠いた排水用の切欠き部１９Ａを形成して連通孔１９の開口面積を増大させているが、切欠き部１９Ａは無くてもよい。前記切欠き部１９Ａは、第２蓋部１６の第１蓋部１５側端から第１蓋部側ほど下方に位置する排水案内用の傾斜板部１６Ｂ及び該傾斜板部１６Ｂの左右両側に位置するとともに左右中央側ほど下方に位置する左右の傾斜板部１６Ｃ，１６Ｃの先端（下端）に形成されている。
【図面の簡単な説明】
【００２５】
【図１】システムキッチンの斜視図である。
【図２】シンクキャビネットの斜視図である。
【図３】流し台を示し、（ａ）それの平面図、（ｂ）は（ａ）におけるＩ−Ｉ線断面図である。
【図４】覆い蓋の装着部の拡大平面図である。
【図５】（ａ），（ｂ）は覆い蓋の斜視図である。
【符号の説明】
【００２６】
１…クッキングヒータ、２…ヒータキャビネット、３…流し台、４…シンクキャビネット、５…凹部、６…作業台用キャビネット、７，８，９…引出し、１０…水槽、１１…段部、１２，１３…底面、１４…開口、１４Ａ…第１開口、１４Ｂ…第２開口、１４ａ…傾斜面、１４Ｋ…係止部、１５…第１蓋部、１５Ａ…底面、１５ａ…外周縁、１５Ｒ…スカート部、１６…第２蓋部、１６Ａ…外周面、１６Ｂ…傾斜板部、１７…連結部、１７Ａ…連結部材、１８…覆い蓋、１９…連通口、１９Ａ…切欠き部、２０…回り止め部、２１…突起部、２２…板材、Ｊ…蛇口
【図１】
0005156284.tif 000002
【図２】
0005156284.tif 000003
【図３】
0005156284.tif 000004
【図４】
0005156284.tif 000005
【図５】
0005156284.tif 000006